(57)【要約】      （修正有）【課題】製造が容易であり、また、十分な吸水能力（生理食塩水）を有してるにもかかわらず柔軟性に優れたシート状の吸収体を使用しているため装着する容器の形状に容易に馴染んで装着でき、しかも使用後も差込便器等は汚染されていないので洗浄することなく繰り返し使用することができるトイレ処理袋を提供する。【解決手段】１つの開口部を有する非透水性膜からなる袋１０の片方の表面１１に、シート状の吸収体２０と透水性膜３０とがこの順序で積層されたトイレ処理袋において、吸収体２０が、前記片方の表面１１と透水性膜３０とで形成される袋状部に非拘束状態で配されており、前記吸収体２０の吸水能力（生理食塩水）が１５０ｇ以上、剛軟度３．５ｍＮ以下（ＪＩＳ  Ｌ１９１３ガーレー法）であることを特徴とするトイレ処理袋。【選択図】図２
2018134179.tif 000002
【特許請求の範囲】
【請求項１】
１つの開口部（１３）を有する非透水性膜からなる袋（１０）の片方の表面（１１）に、シート状の吸収体（２０）と透水性膜（３０）とがこの順序で積層されたトイレ処理袋（１）において、吸収体（２０）が、前記片方の表面（１１）と透水性膜（３０）とで形成される袋状部に非拘束状態で配されており、前記吸収体（２０）の吸水能力（生理食塩水）が２００ｇ以上、剛軟度３．５ｍN以下（ＪＩＳ  Ｌ１９１３ガーレー法）であることを特徴とするトイレ処理袋（１）。
【請求項２】
吸収体（２０）が吸水性ポリマーからなるシート状物であることを特徴とする請求項１記載のトイレ処理袋（１）。
【発明の詳細な説明】
【技術分野】
【０００１】
本発明は、差込便器やベッドパン（以下、差込便器という。）等に用いる、使用時には肌触りがよく、且つ使用後は便や尿などの排泄物を容易に処理することができるトイレ処理袋に関する。
【背景技術】
【０００２】
従来から、トイレやポータブルトイレに行って排尿・排便することが困難な寝たきりの老人や入院患者等のうち尿意や便意を伝えることが可能な人の場合は、オムツを使うより差込便器等で排泄してもらうことが排泄の促進につながり、また排泄時に身体を動かすことによって残存機能（障害があっても、活用することのできる残された機能）を維持・高める効果があることから広く行われている。さて、差込便器は使用に際して、排尿時のはね返りによる不快感を防止し、紙ごと排泄物を丸めて差込便器や手を汚さずに廃棄処理する目的で、排泄物収納部にあらかじめ新聞紙などの紙を敷くことが行われている。しかしながら、排泄物は簡単に紙を浸透して差込便器の排泄物収納部に達して内部を汚染するため、結局、差込便器を毎回洗浄する必要があった。ところが病院等ではともかく一般家庭では、差込便器を洗浄する場所や設備もないため後処理に困るという問題があった。
【０００３】
このような問題点を解決するために、特許文献１、２には、排便排尿器（差込便器）に被覆できる大きさの防水性の袋の片面に、伸縮可能な襞をつけるとともに、同片面の外側に尿を吸収凝固させる吸収凝固層と、さらに外側に尿を浸透させるための浸透性の被覆層を設けた排便排尿処理袋が提案されている。この処理袋は片面が伸縮可能な襞が設けられていて自由にのびるので差込便器、前記排便排尿器の凹部形状に馴染み、容易に凹状に装着することが可能となっている。しかしながら、このような形状の処理袋（袋の表裏面の一方のみに伸縮可能な襞を設ける、すなわち表裏面の形状、長さが異なる。）を工業的に製造することは極めて困難であった。
【先行技術文献】
【特許文献】
【０００４】
【特許文献１】特開平０７−３１６４５号公報
【特許文献２】特開平０８−１２５５５９号公報
【発明の概要】
【発明が解決しようとする課題】
【０００５】
本発明は、特許文献１、２とほぼ同様な機能、すなわち、排尿時にはね返りがなく、差込便器や手を汚染することなく廃棄処理が可能であるばかりでなく、差込便器に装着した場合に差し込む便器の排泄物収納部の凹部形状に馴染み、容易に収納部に沿って装着できるという機能、を有しながら、なおかつ工業的に容易に製造できる差込便器等に用いるトイレ処理袋を提供することを目的とする。
【課題を解決するための手段】
【０００６】
本発明者は、鋭意検討した結果、処理袋の片面に伸縮可能な襞を設けずに表裏を同一形状にしても、シート状の吸収体（２０）として、吸水能力（生理食塩水）が２００ｇ以上であり、かつ柔軟度が３．５ｍＮ以下のものを使用すれば十分な吸収能力を有しながらも排泄物収納部の凹部形状に馴染み容易に収納部に沿って装着できることを見いだし本発明にいたった。
【０００７】
すなわち、本発明によれば、上記課題を解決するための手段として、
［１］１つの開口部（１３）を有する非透水性膜からなる袋（１０）の片方の表面（１１）に、シート状の吸収体（２０）と透水性膜（３０）とがこの順序で積層されたトイレ処理袋（１）において、吸収体（２０）が、前記片方の表面（１１）と透水性膜（３０）とで形成される袋状部に非拘束状態で配されており、前記吸収体（２０）の吸水能力（生理食塩水）が２００ｇ以上、剛軟度３．５ｍN以下（ＪＩＳ  Ｌ１９１３ガーレー法）であることを特徴とするトイレ処理袋（１）が提供され、
［２］吸収体（２０）が吸水性ポリマーからなるシート状物であることを特徴とする請求項１記載のトイレ処理袋（１）が提供される。
【発明の効果】
【０００８】
本発明の処理袋（１）は、表裏面の形状が同一であるから製造が容易である。また、吸水能力が特定値以上あるにもかかわらず、柔軟性に優れたシート状の吸収体（２０）を使用しているため、容器の形状に容易に馴染んで装着できるため、排泄した便が盛り上がって、排泄者の体に付着したりすることがない。しかも、当該吸収体（２０）は十分な吸水能力（生理食塩水）を有してるため排泄された尿は瞬時に吸収されて飛び散ることはない。また、処理袋（１）は非透水性膜で構成されているので、使用後も差込便器等は汚染されることはないので洗浄することなく繰り返し使用することができるという利点を有している。
【図面の簡単な説明】
【０００９】
【図１】袋（１０）片方の表面（１１）側から見た本発明の処理袋（１）の一例を示す平面図である。なお、本例の場合、透水膜（３０）を半透明にしてあるので、下層の吸水体（２０）が本図のように透けて見えている。
【図２】本発明の処理袋（１）の構成を説明するための図１のＡＡ’線断面模式図である。
【図３】袋（１０）のもう一方の表面（１２）側から見た処理袋（１）の一例を示す平面図である。
【図４】本発明の処理袋（１）が用いられる差込便器の一例を示す斜視図である。
【図５】５（１）  本発明で規定する剛軟度を超える吸収体を使用したトイレ処理袋を差込便器の排泄物収納部（１２０）である凹部に装着した状態を説明する一部断面説明図である。５（２）  本発明のトイレ処理袋（１）を差込便器の排泄物収納部（１２０）である凹部に装着した状態を説明する一部断面説明図である。
【発明を実施するための形態】
【００１０】
本発明のトイレ処理袋（１）は、図１〜４で示すように、１つの開口部（１３）を有する非透水性膜からなる袋（１０）の片方の表面（１１）に、シート状の吸収体（２０）と透水性膜（３０）とがこの順序で積層され、しかも吸収体（２０）が、前記片方の表面（１１）と透水性膜（３０）とで形成される袋状部に非拘束状態で配された構成となっている。
そして、非透水性膜からなる袋（１０）の開口部（１３）のところから差込便器（１００）を袋内に挿入し、差込便器（１００）の排泄物収納部（１２０）上に透水膜（３０）で被覆したシート状の吸収体（２０）がくるように装着し、使用後は開口部（１３）のところからひっくり返して排泄した便・尿等を収納し、廃棄するための収納袋となるものである。
【００１１】
本発明において、非透水性膜からなる袋（１０）に使用する非透水性膜としては便、尿等の排泄物を透過せず、かつ袋に加工することが可能な材料であれば特に制限はないが、包装材として使用されるポリエチレンフィルム、ポリプロピレンフィルムなどの合成樹脂フィルムが好ましく使用され、通常それらを熱シールするなどの製袋加工することによって製造される。また、本発明においては袋（１０）の片方の表面（１１）ともう一方の表面（１２）を、例えば、１枚のフィルムを２つに折り畳んだり、チューブ状フィルムをそのまま使用して形成することも可能であるが、別々の材料からなる非透水膜を使用して形成することももちろん可能である。なお、本発明で使用する非透水膜は糞便等の排泄物を見えにくくする目的で着色したり、半透明にすることも可能である。更に、本発明においては袋（１０）の形状を、特許文献１、２のように片面に伸縮可能な襞を設ける必要はなく、通常の表裏面同形の平袋の形状であればよく、袋（１０）の開口部（１３）は、差込便器（１００）の挿入口となるものであり必ずしも袋（１０）の端部に設ける必要はないが、図３に示すように袋（１０）の端部付近（あまり中央寄りではない場所）に設けるのが好ましい。
【００１２】
本発明で使用する透水性膜（３０）としては、排泄した便・尿のうち液状部分を吸収体（２０）に吸収させるために、これらを透過させ機能を有するものであれば特に制限はないが、例えば、ポリエチレン又はポリプロピレン等のポリオレフィン系、ポリエステル系、ポリアミド系の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工した不織布や、天然繊維や合成繊維からなる織布、或いはポリエチレンフィルム、ポリプロピレンフィルム、ナイロンフィルム、ポリエステルフィルムに穴あけ加工を施した多孔フィルムやメッシュフィルム、或いはこれらを適宜積層したラミネートフィルムなどが好適に使用できる。本発明においては、これらの中でも安価で十分な強度と優れた透水性を有する不織布が好ましく使用される。特に、レーヨンやキュプラ等の再生繊維、綿等を素材として全部または一部使用した不織布や親水化処理を施した、親水性を有する不織布を使用するのが好ましい。
【００１３】
本発明のトイレ処理袋（１０）に使用するシート状の吸収体（２０）は、まず、図２に示すように非透水膜からなる袋（１０）の片方の表面（１１）と透水性膜（３０）とで形成される袋状部に非拘束状態で配される。袋状部は、片方の表面（１１）の排泄物収納部（１２０）に相当する個所付近の一部にのみ形成することも可能であるが、袋（１０）の片方の表面（１１）に、それと同じ形状・面積の透水性膜（３０）を重ねた状態で周縁部を接合（熱シール等）して片方の表面（１１）の全面に形成するのが一般的である。ここで、非拘束状態とは上記袋状部内の何れの部材にも固定されていない（すなわち、伸縮、移動が可能に配されている）ことを意味している。このようにすることによって、吸収体（２０）は、透水性膜（３０）や片方の表面（１１）に影響されることなく本来有している吸水能力通りの水分を吸収して三次元方向に自在に膨張することができるのである。また、図１からも明らかなように、シート状吸収体（２０）は、片方の表面（１１）と透水性膜（３０）で形成される袋状部と同じ大きさにする必要はなく、必要とされる吸水能力（生理食塩水）であれば適宜大きさのものとすればよいシート状の吸収体（２０）を袋状部よりも小さくした場合は、シート状の吸収体（２０）を袋状内で移動させることができるから、差込便器の形状や排泄物収納部（１２０）の位置にあわせて容易に移動させることができる。
【００１４】
本発明で使用するシート状の吸収体（２０）は、後述するように特定値以上の吸水能力を必要とするため、吸水能力の高いいわゆる吸水性ポリマーを使用することが望ましく。必要に応じて吸水性ポリマーにパルプ、更に必要であれば消臭剤や殺菌剤、抗菌剤を併用してシート化したものが使用される。パルプとしては、木材から得られる化学パルプ、溶融パルプ等のセルロース繊維や、レーヨン、アセテート等の人工セルロース繊維からなるものが挙げられる。吸水性ポリマーとしては、ポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられるが、本発明においては、吸水能力、吸水速度に優れるポリアクリル酸ナトリウムで代表されるアクリル酸塩系の吸水性ポリマーを使用するのが好ましい。
【００１５】
また、本発明に使用するシート状の吸収体（２０）は、吸水能力（生理食塩水）が２００ｇ以上、剛軟度３．５ｍＮ以下（ＪＩＳ  Ｌ１９１３ガーレー法）であることが必要である。すなわち、本発明のトイレ処理袋（１）は、差込便器等に装着して使用する以上、通常の排尿量の目安である２００ｇ、好ましくはかなり我慢した後の尿量３００ｇ以上の吸水能力（生理食塩水）を有していることが好ましい。また、図５の５（２）のように差込便器（１００）の排出物収納部（１２０）である凹部にフィットさせることができるように剛軟度が３．５ｍＮ（ＪＩＳ  Ｌ１９１３ガーレー法）以下、好ましくは２．７ｍＮ以下、さらに好ましくは２．０ｍＮ以下とする必要がある。この剛軟度が３．５ｍＮを超えると、上述した排出物収納部である凹部に装着しても図５の５（１）のようになって凹部にフィットできず、収納部の容積が不足して排泄した便が体の一部に付着したり、排泄した尿がはね返り利用者の体を濡らしてしまうので好ましくない。
【００１６】
本発明で使用するシート状の吸収体（２０）は、通常、ティッシュペーパー上に、吸水性ポリマー及び／又はパルプを積繊し、その上に更にティッシュペーパーを被覆した後、プレスして製造するのであるが、上述した条件を満たすシート状の吸収体（２０）を得るためには下記のことを考慮して適宜設計する必要がある。すなわち、
（１）吸水能力を増加させるためには、シート状吸収体（２０）の面積を大きくする、吸収体を構成する吸水材（吸水性ポリマー、パルプ等）の目付（平方メートル当たりの使用量（ｇ／ｍ２））を大きくする、特に吸水能力の大きい吸水性ポリマーの割合を大きくする。
（２）剛柔度を小さく、すなわち柔軟にするためには、目付（ｇ／ｍ２）を小さくする、プレスするときの圧力を小さくして圧締しすぎないことが必要である。目付が同じ場合は少し厚めに成形（プレス圧を小さくする）することが望ましい。また、吸水性ポリマー自身はパルプに比べると固い材質なので剛軟度が高くなりやすいが、プレス圧の影響は小さく、逆に、パルプは圧縮されやすいのでパルプの目付（ｇ／ｍ２）を大きくした場合にはプレス圧を大きくのし過ぎないように注意する必要がある。
（３）パルプは吸水性ポリマーに比べると吸水能力に劣るが、シート状に成形しやすくなるという利点を有している。また、パルプの存在によって毛細管現象で水分を水平方向に伝達する能力が向上するので、シート状の吸収体（２０）の面積が大きい場合はパルプをある程度以上併用することが好ましい。また、プレス圧を大きくするほどシート化はしやすくなるが、（２）で述べたように剛軟度が高くなるという問題がある。
【００１７】
したがって、吸水能力（生理食塩水）が２００ｇ以上、剛軟度３．５ｍＮ以下（ＪＩＳ  Ｌ１９１３ガーレー法）のシート状の吸収体（２０）を得るためには、シート状吸収体（２０）の面積を考慮したうえで、吸水性ポリマーの目付、パルプの目付、及び併用する場合のこれらの比率を選定するばかりでなく、プレス圧（つまり、シートの厚み）も検討する必要がある。
【００１８】
本発明のトイレ処理袋（１）は例えば、以下のような方法で製造することができる。非透水性膜としてチューブ状熱可塑性樹脂フィルムを、透水性膜（３０）として不織布を使用し、まず、扁平にしたチューブ状熱可塑性樹脂フィルムと不織布の間にシート状吸収体（２０）を挟み込んで周縁部を熱シールして、チューブ状熱可塑性樹脂フィルムの上下面（１１、１２）で形成された袋（１０）と、チューブ状熱可塑性樹脂の裏面（１１）と不織布（３０）とで形成される袋状部に吸収体（２０）が挿入された状態の半製品が得られる。次いで、チューブ状の熱可塑性樹脂フィルムの表面（１２）に切り目を入れて開口部（１３）を形成することで本発明のトイレ処理袋（１）が得られる。
【００１９】
本発明のトイレ処理袋（１）は、以下のようにして使用される。
（１）トイレ処理袋（１）の開口部（１３）に差込便器（１００）を差込便器の取っ手（１２０）をもって差し込む。その際に、透水膜（３０）側が排泄物収納部（１２０）の上にくるようにする。
（２）吸水体（２０）が透水膜（３０）よりも小さい場合は、吸収体（２０）が排泄物収納部（１２０）に入るようにする。
（３）トイレ処理袋（１）を装着した差込便器（１００）の排泄物収納部（１２０）が利用者の臀部当たるように設置する。
（４）排泄完了後、差込便器を取り出し、取っ手（１１０）側からトイレ処理袋（１）を折り返して排泄物がトイレ処理袋（１）内に入るようにして所定方法で処分する。
【実施例】
【００２０】
［製造例］
ティッシュペーパー上に、粉砕木材パルプと吸水性ポリマー（ポリアクリル酸ナトリウムの部分架橋物とを所定の目付（ｇ／ｍ２）で積繊し、次いで上部をティッシュペーパーで被覆した後、上面がエンボス模様であるプレス盤を用いてプレスしてシート状の吸収体を製造した。このシート状吸収体の１００ｃｍ２当たりの吸水能力（生理食塩水）、剛柔度、厚さを測定した、結果は表１に示す通りであった。
【００２１】
１００ｃｍ２当たりの吸水能力の測定
不織布製の袋に、１００ｍｍ×１００ｍｍ角のシート状の吸収体を入れて生理食塩水（室温）に１０分間浸漬する。次いで、それを引き上げて１０分間吊り下げて水切りを行い、吸水後の吸収体と不織布製袋の合計重量Ｗｔ（ｇ）を測定した。同様に、不織布製の袋のみを蒸留水（室温）に１０分間浸漬した後、引き上げて１０分間吊り下げて水切りを行い、吸水後の不織布製の袋の重量Ｗｂ（ｇ）を測定した。１００ｃｍ２当たりの吸水能力（生理食塩水）Ｗ（ｇ／１００ｃｍ２）は以下の計算によって求めた。
Ｗ：吸収体の１００ｃｍ２当たりの吸水能力（生理食塩水）：（ｇ／１００ｃｍ２）
Ｗｔ：吸水後の吸収体と不織布製袋の合計重量（ｇ）
Ｗｂ：吸水後の不織布製の袋の重量（ｇ）
Ｗ＝Ｗｔ−Ｗｂ
【００２２】
剛軟度
シート状吸収体から、縦方向、横方向に各々幅２５．４ｍｍ、長さ８８．９ｍｍの試験片を切り出して、ガーレー式試験機（熊谷理機工業株式会社製）を用い、ＪＩＳ  Ｌ１９１３−２０１０の６．７．４  ガーレー法に基づいて剛軟度を測定した。なお、測定は、縦方向のエンボス面側、エンボス面の裏面側、及び横方向のエンボス面側、エンボス面の裏面側について行い。それらの平均値を採用した。
【００２３】
【表１】
2018134179.tif 000003
【００２４】
［実施例１〜６、比較例１、２］
シート状の吸収体（２０）として製造例１〜７で製造した吸収体を使用した。また、透水性膜（３０）として、不織布（目付１６ｇ／ｍ２、ポリエチレン、ポリプロピレン、レーヨン（サーマルボンド法））を用い、非透水性膜４は青色半透明のポリエチレンチューブ（折径５７０ｍｍ、厚み２０μｍ）を扁平に折り畳んだものを使用して、ポリエチレンチューブからなる袋（１０）の片面（１１）に、適宜面積としたシート状の吸収体（２０）、透水性膜（３０）をこの順序で積層し、吸収体（２０）が、前記片方の表面（１１）と透水性膜（３０）とで形成される袋状部に非拘束状態で配された中間製品を得た。次いで、もう一方の片面（１２）の端部付近に切り目を入れて開口部（１３）を形成して。横幅４７０ｍｍ、縦幅５７０ｍｍのトイレ処理袋を得た。
【００２５】
得られたトイレ処理袋について、吸収性能、装着性について試験し評価した。結果を表２に示す。表2からも明らかなように、本発明に係る実施例１~６のトイレ処理袋（１）は吸水性能、装着性に優れていたが、剛軟度が高い製造例６の吸収体を使用した比較例１のトイレ処理袋は、差込便器の排泄物収納部（１２０）にきちんと装着することができなかった。また、吸水能力（生理食塩水）の比較的小さい製造例７の吸収体を使用し、吸収体の面積を小さくした比較例２のトイレ処理袋は、装着は容易であったが、吸水能力（ｇ）が不足しているためかすべての尿を吸収することができなかった。
＜吸収性能＞
吸収性能は、排泄された尿等の液状物の状態について目視で評価した。
◎：直ちに吸収した。    〇：すべて吸収した。    ×：一部液状物が残った。
＜装着性＞
装着性は、実際に差込便器に装着して評価した。
◎：極めて良好。    〇：少し硬いが装着できた。    ×：凹部に沿っての装着はできなかった。
【００２６】
【表２】
2018134179.tif 000004
【産業上の利用可能性】
【００２７】
本発明によって、特別な洗浄設備のない家庭ででも手を汚染することなく差込便器にした排泄物を容易に処理することができるようになったので、ポータブル便器が使用できない人であっても、紙オムツとは違って差込便器等を使って快適に排泄することを可能とするトイレ処理袋を提供することが可能となった。
【符号の説明】
【００２８】
（１）          本発明のトイレ処理袋
（１０）        非透水性膜からなる袋
（１１）            袋（１０）の片方の表面
（１２）            袋（１０）のもう一方の表面
（１３）            袋（１０）の開口部
（１４）            シール部
（２０）        吸収体
（３０）        透水膜
（３１）            シール部
（１００）      差込便器
（１１０）          取っ手
（１２０）          排泄物収納部
【図１】
2018134179.tif 000005
【図２】
2018134179.tif 000006
【図３】
2018134179.tif 000007
【図４】
2018134179.tif 000008
【図５】
2018134179.tif 000009